【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
圧電トランスを有する電源であって、
複数の電圧出力部を有し、
前記複数の電圧出力部の各々は、圧電トランスと、前記圧電トランスを所定の駆動周波数で駆動する駆動部と、周波数信号を出力する発振器と、前記発振器からの前記周波数信号を分周した駆動信号を前記駆動部に出力する分周器と、を有することを特徴とする電源。
【請求項２】
前記複数の電圧出力部の各々は、出力電圧が一定電圧になるように前記出力電圧を検出して、検出結果に応じて前記発振器の前記周波数信号を制御するフィードバック部を更に有することを特徴とする請求項１に記載の電源。
【請求項３】
前記フィードバック部は、前記出力電圧を分圧して検出した検出信号と、前記出力電圧を前記一定電圧にするための設定信号との比較結果を前記発振器にフィードバックすることを特徴とする請求項２に記載の電源。
【請求項４】
前記電源は、記録材に画像を形成する画像形成装置に搭載される電源であって、前記複数の電圧出力部は、前記画像形成装置の複数の画像形成部に高電圧を出力することを特徴とする請求項１乃至３のいずれか１項に記載の電源。
【請求項５】
前記複数の画像形成部の各々は、異なる色の画像を形成することを特徴とする請求項４に記載の電源。
【請求項６】
複数の画像形成部と、
前記複数の画像形成部に高電圧を出力する複数の電圧出力部を有する電源と、を有し、
前記電源の前記複数の電圧出力部の各々は、圧電トランスと、前記圧電トランスを所定の駆動周波数で駆動する駆動部と、周波数信号を出力する発振器と、前記発振器からの前記周波数信号を分周した駆動信号を前記駆動部に出力する分周器と、を有することを特徴とする画像形成装置。
【請求項７】
前記複数の電圧出力部の各々は、出力電圧が一定電圧になるように前記出力電圧を検出して、検出結果に応じて前記発振器の前記周波数信号を制御するフィードバック部を更に有することを特徴とする請求項６に記載の画像形成装置。
【請求項８】
前記フィードバック部は、前記出力電圧を分圧して検出した検出信号と、前記出力電圧を前記一定電圧にするための設定信号との比較結果を前記発振器にフィードバックすることを特徴とする請求項７に記載の画像形成装置。
【請求項９】
前記複数の画像形成部の各々は、異なる色の画像を形成することを特徴とする請求項６乃至８のいずれか１項に記載の画像形成装置。
【請求項１０】
圧電トランスを有する複数の電圧出力部を駆動するＩＣであって、
複数の駆動信号出力部を有し、
前記複数の駆動信号出力部の各々は、周波数信号を出力する発振器と、
前記発振器からの前記周波数信号を分周した駆動信号を出力する分周器と、を有することを特徴とするＩＣ。
【請求項１１】
前記複数の電圧出力部の各々は、出力電圧が一定電圧になるように前記出力電圧を検出して、検出結果に応じて前記発振器の前記周波数信号を制御するフィードバック部を更に有することを特徴とする請求項１０に記載のＩＣ。
【請求項１２】
前記フィードバック部は、前記出力電圧を分圧して検出した検出信号と、前記出力電圧を前記一定電圧にするための設定信号との比較結果を前記発振器にフィードバックすることを特徴とする請求項１１に記載のＩＣ。
【請求項１３】
圧電トランスを有する電源であって、
第１の電圧出力部および第２の電圧出力部を有し、
前記第１の電圧出力部および前記第２の電圧出力部の各々は、圧電トランスと、前記圧電トランスを所定の駆動周波数で駆動する駆動部と、周波数信号を出力する発振器と、を有し、
前記第１の電圧出力部は、前記発振器からの前記周波数信号を分周した駆動信号を、前記第１の電圧出力部の前記駆動部および前記第２の電圧出力部の前記駆動部に出力する分周器を更に有することを特徴とする電源。
【請求項１４】
前記第１の電圧出力部および前記第２の電圧出力部の各々は、出力電圧が一定電圧になるように前記出力電圧を検出して、検出結果に応じて前記発振器の前記周波数信号を制御するフィードバック部を更に有することを特徴とする請求項１３に記載の電源。
【請求項１５】
前記フィードバック部は、前記出力電圧を分圧して検出した検出信号と、前記出力電圧を前記一定電圧にするための設定信号との比較結果を前記発振器にフィードバックすることを特徴とする請求項１４に記載の電源。
【請求項１６】
前記電源は、記録材に画像を形成する画像形成装置に搭載される電源であって、前記第１の電圧出力部は前記画像形成装置おける第１の画像形成部に高電圧を出力し、前記第２の電圧出力部は前記画像形成装置おける第２の画像形成部に高電圧を出力することを特徴とする請求項１３乃至１５のいずれか１項に記載の電源。
【請求項１７】
前記第１の画像形成部は、第１の色の画像を形成し、前記第２の画像形成部は、第２の色の画像を形成することを特徴とする請求項１６に記載の電源。
【請求項１８】
第１の画像形成部および第２の画像形成部と、
前記第１の画像形成部に高電圧を出力する第１の電圧出力部および前記第２の画像形成部に高電圧を出力する第２の電圧出力部を有する電源と、を有し、
前記電源の前記第１の電圧出力部および前記第２の電圧出力部の各々は、圧電トランスと、前記圧電トランスを所定の駆動周波数で駆動する駆動部と、周波数信号を出力する発振器と、を有し、
前記第１の電圧出力部は、前記発振器からの前記周波数信号を分周した駆動信号を、前記第１の電圧出力部の前記駆動部および前記第２の電圧出力部の前記駆動部に出力する分周器を更に有することを特徴とする画像形成装置。
【請求項１９】
前記第１の電圧出力部および前記第２の電圧出力部の各々は、出力電圧が一定電圧になるように前記出力電圧を検出して検出結果に応じて前記発振器の前記周波数信号を制御するフィードバック部を更に有することを特徴とする請求項１８に記載の画像形成装置。
【請求項２０】
前記フィードバック部は、前記出力電圧を分圧して検出した検出信号と、前記出力電圧を前記一定電圧するための設定信号との比較結果を前記発振器にフィードバックすることを特徴とする請求項１９に記載の画像形成装置。
【請求項２１】
前記第１の画像形成部は、第１の色の画像を形成し、前記第２画像形成部は、第２の色の画像を形成することを特徴とする請求項１８乃至２０のいずれか１項に記載の画像形成装置。
【請求項２２】
圧電トランスを有する第１の電圧出力部および第２の電圧出力部を駆動するＩＣであって、
第１の駆動信号出力部および第２の駆動信号出力部を有し、
前記第１の駆動信号出力部は、周波数信号を出力する発振器と、前記発振器からの前記周波数信号を分周した駆動信号を出力する分周器と、を有し、
前記第２の駆動信号出力部は、周波数信号を出力する発振器を有することを特徴とするＩＣ。
【請求項２３】
前記第１の電圧出力部および前記第２の電圧出力部の各々は、出力電圧が一定電圧になるように前記出力電圧を検出して検出結果に応じて前記発振器の前記周波数信号を制御するフィードバック部を更に有することを特徴とする請求項２２に記載のＩＣ。
【請求項２４】
前記フィードバック部は、前記出力電圧を分圧して検出した検出信号と、前記出力電圧を前記一定電圧にするための設定信号との比較結果を前記発振器にフィードバックすることを特徴とする請求項２３に記載のＩＣ。
【手続補正２】
【補正対象書類名】明細書
【補正対象項目名】発明の名称
【補正方法】変更
【補正の内容】
【発明の名称】電源、画像形成装置およびＩＣ
【手続補正３】
【補正対象書類名】明細書
【補正対象項目名】００１５
【補正方法】変更
【補正の内容】
【００１５】
すなわち、本発明にかかる電源は、圧電トランスを有する電源であって、
複数の電圧出力部を有し、
前記複数の電圧出力部の各々は、圧電トランスと、前記圧電トランスを所定の駆動周波数で駆動する駆動部と、周波数信号を出力する発振器と、前記発振器からの前記周波数信号を分周した駆動信号を前記駆動部に出力する分周器と、を有することを特徴とする。
【手続補正４】
【補正対象書類名】明細書
【補正対象項目名】００１６
【補正方法】変更
【補正の内容】
【００１６】
あるいは、本発明に係る画像形成装置は、複数の画像形成部と、
前記複数の画像形成部に高電圧を出力する複数の電圧出力部を有する電源と、を有し、
前記電源の前記複数の電圧出力部の各々は、圧電トランスと、前記圧電トランスを所定の駆動周波数で駆動する駆動部と、周波数信号を出力する発振器と、前記発振器からの前記周波数信号を分周した駆動信号を前記駆動部に出力する分周器と、を有することを特徴とする。